(57)【要約】【課題】着用者に正しくフィットする状態で生理用ナプキンを装着することができる生理用ショーツを提供する。【解決手段】前身頃２、後身頃３および両者の間に位置する股下部材４を接合して形成され、股下部材４に生理用ナプキン５が装着されるショーツ本体１Ａにおいて、前身頃２と股下部材４との接合部６ａがショーツ本体１Ａの幅方向に延び、接合部６ａと平行に延びる連結部８を介して、股下部材４を後身頃３から前身頃２の方向へ伸長させるための把持部７が連結されていることを特徴とするショーツ本体１Ａとした。【選択図】図１
2008017942.tif 000002
【特許請求の範囲】
【請求項１】
ショーツ本体が、前身頃と、後身頃と、前記前後身頃の間に位置する股下部とから形成され、前記股下部の内面に生理用ナプキンが装着される生理用ショーツにおいて、
前記股下部が、前記前身頃の側において前記ショーツ本体の幅方向へ延びる前端部と前記後身頃の側において前記幅方向へ延びる後端部とを有し、前記前端部又はその近傍には、前記股下部を前記後身頃から前記前身頃の方向へ伸長させる把持部が設けられていることを特徴とする前記生理用ショーツ。
【請求項２】
ショーツ本体が、前身頃と、後身頃と、前記前後身頃の間に位置してこれらと接合する股下部材とから形成され、前記股下部材の内面に生理用ナプキンが装着される生理用ショーツにおいて、
前記ショーツ本体が、基端部と自由端部とを有し前記股下部材を前記後身頃から前記前身頃の方向へ伸長させる把持部を備え、前記把持部は、前記基端部が、前記前身頃と前記股下部材との接合部に沿って位置する連結部によって前記ショーツ本体に連結されていることを特徴とする前記生理用ショーツ。
【請求項３】
前記連結部は、前記接合部又は前記前身頃に配置されている請求項２に記載の生理用ショーツ。
【請求項４】
前記連結部の前記ショーツ本体の幅方向における長さが、前記股下部材の最小幅よりも大きい請求項２または請求項３に記載の生理用ショーツ。
【請求項５】
前記ショーツ本体の両脇には前記前身頃、前記後身頃および前記股下部材の両側縁部で構成される脚開口形成縁により一対の脚周り開口が形成され、前記脚開口形成縁それぞれに沿って脚周り弾性部材が延び、前記脚周り弾性部材に対し前記連結部が固定されている請求項２または請求項３に記載の生理用ショーツ。
【請求項６】
前記把持部が、前記股下部材よりも低伸縮性である請求項２〜５のいずれかに記載の生理用ショーツ。
【請求項７】
前記連結部の剛性が、前記前身頃のそれよりも高い請求項２〜６のいずれかに記載の生理用ショーツ。
【発明の詳細な説明】
【技術分野】
【０００１】
この発明は生理用ナプキンが装着される生理用ショーツに関する。
【背景技術】
【０００２】
従来、生理用ナプキンのフィット性を向上させるための生理用ショーツが種々提案されている。例えば、特許文献１には、生理用ナプキン等が着用者の身体に合った形状に変形することができ、十分なフィット性の得られる生理用ショーツとして、股下部材を伸縮素材から構成すると共に、股下部材に、股下部材の縦中心線に沿って帯状の非伸縮部材を配し、この非伸縮部材をその長手方向に亘り股下部材に固定した生理用ショーツが開示されている。
【特許文献１】特開２００３−１９０２１４号公報
【発明の開示】
【発明が解決しようとする課題】
【０００３】
従来の生理用ショーツによれば、特許文献１の例にも見られるように、その使用中に生理用ナプキンの装着者の局部に対する適正な当接を維持することが可能である。しかし、生理用ナプキンを使用するとき、生理用ナプキンに皺・よじれ等が生じることなく着用者がその局部に適正な当接状態で装着できることが前提として必要であるが、このような生理用ショーツについては殆ど注目されていなかった。
このような従来技術に鑑み、本発明は着用者の局部に対する適正な当接状態で生理用ナプキンを装着することができる生理用ショーツを提供することを課題とする。
【課題を解決するための手段】
【０００４】
本発明は、第１の構成として、ショーツ本体が、前身頃と、後身頃と、前記前後身頃の間に位置する股下部とから形成され、前記股下部の内面に生理用ナプキンが装着される生理用ショーツにおいて、前記股下部が、前記前身頃の側において前記ショーツ本体の幅方向へ延びる前端部と前記後身頃の側において前記幅方向へ延びる後端部とを有し、前記前端部又はその近傍には、前記股下部を前記後身頃から前記前身頃の方向へ伸長させる把持部が設けられていることを特徴とする前記生理用ショーツを含む。
【０００５】
本発明は、第２の構成として、ショーツ本体が、前身頃と、後身頃と、前記前後身頃の間に位置してこれらと接合する股下部材とから形成され、前記股下部材の内面に生理用ナプキンが装着される生理用ショーツにおいて、前記ショーツ本体が、基端部と自由端部とを有し前記股下部材を前記後身頃から前記前身頃の方向へ伸長させる把持部を備え、前記把持部は、前記基端部が、前記前身頃と前記股下部材との接合部に沿って位置する連結部によって前記ショーツ本体に連結されていることを特徴とする前記生理用ショーツを含む。
【０００６】
この発明は、以下の好ましい態様を含むことができる。
【０００７】
好ましい態様の一つでは、前記連結部は、前記接合部又は前記前身頃に配置されている。
【０００８】
別の態様の一つでは、前記ショーツ本体の幅方向における前記連結部の長さが、前記股下部材の最小幅よりも大きい。
【０００９】
また別の態様の一つでは、前記ショーツ本体の両脇には前記前身頃、前記後身頃および前記股下部材の両側縁部で構成される脚開口形成縁により一対の脚周り開口が形成され、前記脚開口形成縁それぞれに沿って脚周り弾性部材が延び、前記脚周り弾性部材に対し前記連結部が固定されている。
【００１０】
また別の態様の一つでは、前記把持部が、前記股下部材よりも低伸縮性である。
【００１１】
さらに別の態様の一つでは、前記連結部が、前記前身頃より高剛性である。
【００１２】
低伸縮性とは、手で引っ張ったとき、股下部材に比べて把持部の伸びが小さいことをいう。また、剛性とは、生理用ショーツを構成する部材が外力を受けたときの変形のしやすさをいい、高剛性とは、外力を受けたとき、その部材が相対的に変形しにくいことを言う。
【発明の効果】
【００１３】
本発明の生理用ショーツによれば、前身頃に股下部又は股下部材を後身頃から前身頃の方向へ伸長させる把持部が、前身頃と股下部材の接合部にほぼ平行に延びて連結されているので、把持部を後身頃から前身頃の方向へ引っ張ることにより、股下部又は股下部材が引き伸ばされて皺・よじれのない平らな状態になるため、着用者の局部に生理用ナプキンを適正に当接する状態でそのナプキンを生理用ショーツに装着することができる。
【００１４】
また、ショーツ本体の両脇には前身頃、後身頃および股下部材の両側縁部で構成される脚開口形成縁により一対の脚周り開口が形成され、脚開口形成縁それぞれに沿って脚周り弾性部材が延び、脚周り弾性部材に対し連結部が固定されている態様では、連結部を介して、把持部により股下部材とともに脚周り弾性部材が後身頃から前身頃の方向に引っ張られ、股下部材が引き伸ばされて皺・よじれのない平らな状態になるため、着用者の局部に適正に当接する状態で生理用ナプキンをショーツ本体に装着することができる。
【００１５】
なお、以下の説明で、股下部材を後身頃から前身頃の方向に向けて伸長させることを、「股下部材を前方に引く」ということがある。
【発明を実施するための最良の形態】
【００１６】
＜第１実施形態＞
図１、図２を参照して本発明に係る生理用ショーツ１について説明する。図１はショーツ本体１Ａの斜視図であり、図２はショーツ本体１Ａの前身頃２と後身頃３を分離してショーツ本体１Ａの内側（着用者に接する側）から見た展開図である。なお、前後左右というときは、着用者から見た方向をいう。また、ショーツ本体１Ａの幅方向は、着用者の左右方向と平行な方向をいう。
【００１７】
本実施形態の生理用ショーツ１では、ショーツ本体１Ａが、前身頃２と、後身頃３と、これらの間に位置する股下部材４とから形成されている。具体的には、ショーツ本体１Ａは、前身頃２の内端部２ａと、後身頃３の内端部３ｂと、股下部材４の前身頃２の側において生理用ショーツ１の幅方向へ延びる前端部４ａと、後身頃３の側において生理用ショーツ１の幅方向へ延びる後端部４ｂとを、それぞれ縫合により互いに接合して形成されており、前身頃２と股下部材４の縫合部が、接合部６ａ，６ｂを構成する。さらにショーツ本体１Ａの内側には、接合部６ａ上に沿って、前身頃２の内端部２ａの幅方向全長にわたって延びる連結部８を介して、把持部７が連結されている。具体的には、把持部７は、基端部１６と自由端部１７とを有し、連結部８（基端部１６）を接合部６ａに重なり合わせて縫合することにより、ショーツ本体１Ａに連結されている。なお、接合部６ａは、ショーツ本体１Ａの幅方向寸法を二分する縦中心線Ｍ（図２参照）に関し対称である。
【００１８】
前身頃２及び後身頃３はいずれも織布で形成され、股下部材４は、ショーツ本体１Ａの外側に位置して織布から成る外面布１０と、内側に位置する防水布１１とを重ね合わせ縫合して形成されている。股下部材４には、仮想線で示す生理用ナプキン５が装着される。
【００１９】
前身頃２、後身頃３、および股下部材４の外面布１０の各織布は、肌触りがよく通気性および吸湿性が高いこと、さらに、着用者の身体とのフィット性を高める点から伸縮性を有することが好ましい。本実施形態では、前身頃２、後身頃３と外面布１０を構成する織布に、伸縮性を有するナイロン繊維６６％、綿２４％、ポリウレタン繊維１０％からなる織布を用いている。
【００２０】
防水布１１には、通気性があって液不透過性の素材を用いることができる。本実施形態ではポリエステルの織布にポリウレタンをラミネートした素材を用いている。防水布１１を構成する素材、および前身頃２等を構成する織布の１０％伸長時の荷重を伸長割合で割った値で定義される伸長係数はそれぞれ２５Ｎ，６．７Ｎであり、防水布１１の方が、伸びが小さい。なお、１０％伸長時の荷重は、チャック間１００ｍｍ、引っ張り速度１００ｍｍ／分で、２５ｍｍ幅の試験片を用い、島津社製オートグラフＡＧ−１ｋＮＩで測定する。伸長係数は、例えば１０％伸長時の荷重が２．５Ｎ／２５ｍｍのとき、２．５Ｎ／０．１＝２５Ｎと計算される。
【００２１】
ショーツ本体１Ａの上部には、前身頃２と後身頃３の上端で構成される胴開口形成縁１２により胴周り開口Ｗが形成され、左右両脇には前身頃２、後身頃３および股下部材４の両側縁部で構成される脚開口形成縁１４により左右一対の脚周り開口Ｌが形成されている。さらに、胴開口形成縁１２に沿って胴周り弾性部材１３が、また、脚開口形成縁１４の前身頃２と股下部材４の部分に沿って左右一対の脚周り弾性部材１５が、それぞれ伸長下で取り付けられて延びている。この脚周り弾性部材１５の弾性収縮により、脚周り開口Ｌが着用者の脚にフィットするとともに、生理用ナプキン５がショーツ本体１Ａの上方に向けて引き上げられて着用者にフィットする。
胴周り弾性部材１３と脚周り弾性部材１５にはゴム弾性を有する紐状材料を用いており、それぞれ胴開口形成縁１２と脚開口形成縁１４に縫合されている。なお、弾性部材１３，１５には、弾性を有する不織布を用いることもできる。
【００２２】
股下部材４を後身頃３から前身頃２の方向へ伸長させるための把持部７は、前後身頃２，３とは別体に形成され、ほぼ半円形状であり、そのやや湾曲した基端部１６上に延びる連結部８を接合部６ａに重ね合わせ縫合して、前身頃２に連結されている。基端部１６は、直線状に形成されていてもよい。さらに、連結部８の両側部は、縫合により脚周り弾性部材１５に対して固定されている。
【００２３】
把持部７は、防水布１１と同じ素材を、前身頃２と同じ素材の織布と重ね合わせて縫合することにより形成されている。このように、前身頃２よりも低伸縮性、さらに詳しくは伸縮性の低い防水布１１の素材を含むことにより、把持部７は前身頃２よりも低伸縮性、さらに詳しくは微伸縮性となっている。ただし、把持部７は、実質的に非伸縮性であってもよい。また、連結部８は、把持部７の基端部１６を折畳んで縫合して形成されており、それによって厚みが増したこと、および防水布１１を含むことにより前身頃２よりも高剛性になっている。
【００２４】
このように、把持部７を微伸縮性又は実質的に非伸縮性とすることにより、把持部７を手で引っ張ったとき、把持部７が変形して股下部材４に伝わる力がロスすることを抑制できる。微伸縮性の把持部７を得るには、１０％伸長時の伸長係数が２０Ｎ（２．０Ｎ／０．１）以上の材料を用いることが好ましい。
【００２５】
把持部７は、ショーツ本体１Ａの縦中心線Ｍに関して対称である。これにより、把持部７を手で引いたとき、股下部材４に加わる力が均等になる。
把持部７は、手で持ちやすくショーツ本体１Ａの着用感を損なわないよう角の丸い形状とすることが好ましい。また、把持部７の円弧状自由端部１７に沿って織布等の補強部材を取り付けて、手で引いたときの把持部７の変形による力のロスを抑制することが好ましい。
【００２６】
着用者が本実施形態のショーツ本体１Ａに生理用ナプキン５を装着しようとするとき、股下部材４は、一対の脚周り弾性部材１５の弾性収縮により脚開口形成縁１４の周辺にギャザーが形成された状態、すなわち皺がよった状態になっている。あるいは、着用者の姿勢等によりよじれた状態となることがある。
【００２７】
把持部７を前方に向けて引っ張ると、股下部材４が引き伸ばされて、脚周り弾性部材１５による皺やよじれが解消され、ほぼ平らになる。より詳しくは、接合部６ａは前身頃２と股下部材４を縫合して形成されているので、前身頃２よりも厚みが大きく高剛性であり、接合部６ａに重なり合う連結部８も、前記のように前身頃２よりも高剛性である。この高剛性部が重なり合った部分に、伸縮性のある股下部材４と、皺の原因である脚周り弾性部材１５とが接合し、両者ともショーツ本体１Ａの縦中心線Ｍに関し対称なので、把持部７を前方に向けて引っ張ったとき、脚周り弾性部材１５と股下部材４が均一に引き伸ばされ、股下部材４はほぼ平らになる。
【００２８】
この平らになった股下部材４に生理用ナプキン５を装着すれば、生理用ナプキン５とショーツ本体１Ａの間に隙間が生じたり生理用ナプキン５がよじれた状態で装着されたりすることが無く、着用者に正しくフィットする状態で生理用ナプキン５を生理用ショーツ１に装着することができる。
【００２９】
なお、把持部７はショーツ本体１Ａの内側に連結することが好ましい。片手で生理用ナプキン５を装着するために胴周り開口Ｗを拡径する操作と把持部７を引っ張る操作を同時に行い、もう一方の手で生理用ナプキン５を股下部材４の所定の位置に装着する操作を行なうことができるので、生理用ナプキンの装着を容易に行なうことができる。また、把持部７は、後身頃３から前身頃２に向かう方向に向けて延びだすように連結することが好ましい。この方向に設ければ、把持部７を片手で持って前方に引っ張る操作を容易に行なうことができる。
【００３０】
＜第２実施形態＞
次に図３を参照して、第２の実施形態について説明する。図３は、第２実施形態に係るショーツ本体１Ａの前身頃２と後身頃３を分離して表わす展開図である。本実施形態は、第１実施形態と把持部７の取り付け位置が異なり、その他は共通する。以下の説明では、第１実施形態と共通する部材には同一の符号を用いるとともに、重複する説明は極力省略している。
【００３１】
本実施形態では、連結部８が、ショーツ本体１Ａの幅方向とほぼ平行な向きで、接合部６ａから離間して前身頃２に縫合して連結されている。連結部８の幅方向長さは、股下部材４の最小幅とほぼ同じになっている。
連結部８の接合部６ａからの離間距離は、連結部８が接合部６ａに沿って位置する限り、特に制限は無く、着用時に把持部７が前身頃２の内側に収納可能な位置であることが好ましい。
【００３２】
連結部８と接合部６ａはショーツ本体１Ａの幅方向に延び、その剛性は、前記のようにいずれも前身頃２よりも高い。従って、前身頃２において、連結部８と接合部６ａとで挟まれる仮想領域Ｒ（図３に一点差線で示す）は、あたかも２本の剛性部材の間に伸張性のある織布が張られたような状態になっている。
【００３３】
ショーツ本体１Ａに生理用ナプキン５を装着するとき、把持部７を前方に向けて引っ張ると、連結部８を介して前身頃２の領域Ｒの織布が引き伸ばされることにより接合部６ａが引っ張られ、これに連動して股下部材４を構成する織布全体と、股下部材４の脚開口形成縁１４に延びる脚周り弾性部材１５が前方に向けて引っ張られる。このとき、接合部６ａと連結部８はほぼ平行で、両者ともショーツ本体１Ａの縦中心線Ｍに関し対称なので、股下部材４は均一に引っ張られる。この結果、股下部材４はほぼ平らになるので、着用者の局部に生理用ナプキン５が適正に当接する状態で生理用ナプキン５をショーツ本体１Ａに装着することができる。
【００３４】
以上、実施形態に基づいて本発明に係る生理用ショーツについて説明したが、これらに限定されず、種々変更して実施することができる。
例えば、脚周り弾性部材を用いずに、前身頃や股下部材等の弾性収縮のみで生理用ナプキンを着用者の局部に適正に当接させるタイプの生理用ショーツにも本発明を適用できる。
【００３５】
また、把持部を生理用ショーツとは別体で形成した場合について説明したが、把持部を股下部材と一体に形成し、把持部を樹脂フィルム等で補強して微伸縮性とし、かつ、股下部材と前身頃の接合部に樹脂シートを挟持させて縫合することにより、高剛性の連結部を形成する構成とすることもできる。
【００３６】
さらに、前身頃及び後身頃と股下部材は、それぞれ１枚の織布からなるものとして説明したが、例えば前身頃を伸長率の異なる複数の織布で構成することもできる。また、前身頃と股下部の接合方法は縫合に限らず、熱融着、接着であってもよい。前身頃等を構成する織布は実施形態に限定されず、この他、綿と、ポリエステル繊維、ポリウレタン繊維から成る織布等、生理用ショーツの素材として公知の織布を用いることができる。あるいは、織布に換えて不織布を用いることもできる。防水布にも公知の材料を用いることができ、例えばポリフッ化エチレン、ポリエチレン等を前記の織布にラミネートした複合布を用いることができる。
【００３７】
さらにまた、以上の実施の形態では、前後身頃と股下部材とはそれぞれ別体に形成して前後身頃間に股下部材が位置する場合を挙げたが、本発明の目的を達成し、かつ、本発明の効果を奏させるうえでは、図示していないが、当業者には自明なように、股下部材の位置に相当する股下部と前後身頃とを一連の織布で形成することも可能である。この場合、股下部の内面に防水シートを接合し、股下部の前後端部に位置する織布の一部を生理用ショーツの内側へ折り込み、その折り込み部を維持するように固定し、股下部の前端部の側に位置するその折り込み部又はその近傍に把持部を設け、又はその前端部の折り込み部を把持部にかえることもできる。その折り込み部の厚みはショーツ本体の他の領域の厚みよりも大きいから、その折り込み部の剛性はショーツ本体の他の領域のそれよりも高い。なお、生理用ナプキンは通常、生理用ショーツの股下部に粘着剤を介して固定されるが、その固定が不用意に解かれることもある。そこで、前記折り込み部を股下部の前端部ばかりでなく後端部にも設けた場合には、これら前後端部の両折り込み部の間に生理用ナプキンを位置させ、生理用ナプキンが股下部において前後方向へずれ動くことを防止することができる。
【図面の簡単な説明】
【００３８】
【図１】第１実施形態に係る生理用ショーツの斜視図。
【図２】第１実施形態の生理用ショーツの前・後身頃を互いに分離する展開図。
【図３】第２実施形態の生理用ショーツの前・後身頃を互いに分離する展開図。
【符号の説明】
【００３９】
１    生理用ショーツ
２    前身頃
３    後身頃
４    股下部材
４ａ    前端部
４ｂ    後端部
５    生理用ナプキン
６ａ    接合部
７    把持部
８    連結部
１４    脚開口形成縁
１５    脚周り弾性部材
１６    基端部
１７    自由端部
Ｌ    脚周り開口
【図１】
2008017942.tif 000003
【図２】
2008017942.tif 000004
【図３】
2008017942.tif 000005